(57)【要約】本発明は、上板と、前記上板に対応して位置する下板と、前記上板の上面の一定領域に位置し、前記上板から分離可能なヘッドと、を含むジッパー用スライダーに関するもので、前記ヘッドが前記上板から分離可能であるため、前記牽引タブの交換が可能であり、よって、ユーザーの気持ちまたはユーザーの必要に応じて様々な形態の牽引タブをジッパー用スライダーに適用可能である。
2019500911.tif 000002
【特許請求の範囲】
【請求項１】
上板と、
前記上板に対応して位置する下板と、
前記上板の上面の一定領域に位置し、前記上板から分離可能なヘッドと、
を含んでなる、ジッパー用スライダー。
【請求項２】
前記上板は、第１ベース板と、前記第１ベース板に位置する第１締結孔と、を含み、
前記下板は、第２ベース板と、前記第２ベース板の前方に位置する案内ポストと、前記案内ポストに位置し、前記第１締結孔に対応する領域に位置する第２締結孔と、を含み、
前記ヘッドは、牽引タブ収容部を含むボディ部と、前記ボディ部の一側端に延設されるフランジ部と、前記フランジ部の一定領域に位置し、前記第１締結孔に対応する領域に位置する第３締結孔と、を含む、請求項１に記載のジッパー用スライダー。
【請求項３】
前記第１締結孔と前記第３締結孔とに挿入されて締結される締結手段を、さらに含み、
前記第１締結孔と前記第３締結孔とに前記締結手段が結合されることにより、前記上板と前記ヘッドとが締結され、
前記第１締結孔および前記第３締結孔から前記締結手段が分離されることにより、前記上板と前記ヘッドとが互いに分離される、請求項２に記載のジッパー用スライダー。
【請求項４】
前記第１締結孔、前記第３締結孔および前記第２締結孔に挿入されて締結される締結手段を、さらに含み、
前記第１締結孔、前記第３締結孔および前記第２締結孔に前記締結手段が結合されることにより、前記上板と前記ヘッドとが締結されかつ前記上板と前記下板とが締結され、
前記第１締結孔、前記第３締結孔および前記第２締結孔から前記締結手段が分離されることにより、前記上板と前記ヘッドとが互いに分離され且つ前記上板と前記下板とが互いに分離される、請求項２に記載のジッパー用スライダー。
【請求項５】
前記ヘッドは、前記フランジ部の下面から突出する多角形の突出部を、さらに含み、
前記突出部は、前記第３締結孔に対応する領域に位置する第４締結孔を含み、
前記上板は、前記第１ベース板の上面に位置し、前記第１締結孔と連続して位置する突出部収容溝を、さらに含む、請求項２に記載のジッパー用スライダー。
【請求項６】
前記多角形の突出部の形状は、下部に行くほど狭くなり、
前記突出部収容溝の形状は、下部に行くほど狭くなる、請求項５に記載のジッパー用スライダー。
【請求項７】
前記上板は、第１ベース板と、前記第１ベース板に位置する第１締結孔と、を含み、
前記下板は、第２ベース板と、前記第２ベース板の前方に位置する案内ポストと、前記案内ポストに位置し、前記第１締結孔に対応する領域に位置する第２締結孔と、を含み、
前記ヘッドは、牽引タブ収容部を含むボディ部と、前記ボディ部の一側端に延設されるフランジ部と、前記フランジ部の一定領域に位置し、前記第１締結孔に対応する領域に位置する第３締結孔と、を含み、
前記案内ポストは、案内ポスト上面を含み、
前記案内ポスト上面は、前記第２締結孔が位置する第１上面と、前記案内ポストの外側端に位置し、前記第１上面よりも低い段差の第２上面と、を含む、請求項１に記載のジッパー用スライダー。
【請求項８】
前記上板は、前記第１ベース板の下面を含み、
前記第１ベース板の下面は、前記第１ベース板の一側端に位置する第１ベース板の第１下面と、前記第１ベース板の第１下面以外の領域である第１ベース板の第２下面と、前記第１ベース板の下面の一定領域に位置し、前記第１ベース板の第１下面より低い段差を有する収容溝と、を含み、
前記第１ベース板の第１下面が前記案内ポスト上面のうちの前記第２上面と接触した状態で、前記上板と前記下板とが締結され、
前記下板の前記案内ポスト上面のうちの前記第１上面が前記収容溝に収容された状態で、前記上板と前記下板とが締結される、請求項７に記載のジッパー用スライダー。
【請求項９】
前記案内ポストは、前記案内ポスト上面の一定領域に位置する突起部を、さらに含み、
前記第１ベース板の下面は、前記第１ベース板の第１下面および前記収容溝にわたって位置し、前記収容溝よりも低い段差を有する第１溝部を、さらに含み、
前記突起部が前記第１溝部に収容された状態で、前記上板と前記下板とが締結される、請求項８に記載のジッパー用スライダー。
【請求項１０】
前記上板は、前記第１ベース板の上面を含み、
前記第１ベース板の上面は、前記第１ベース板の他側端に位置する第１ベース板の第１上面と、前記第１ベース板の第１上面以外の領域である第１ベース板の第２上面と、前記第１ベース板の第１上面の一定領域に位置する支持溝と、前記支持溝と前記第１締結孔との間に位置する第２溝部と、を含み、
前記ヘッドの前記フランジ部は、フランジ部下面を含み、
前記フランジ部下面が前記第１ベース板の上面と接触した状態で、前記上板と前記ヘッドとが締結される、請求項８に記載のジッパー用スライダー。
【請求項１１】
前記ヘッドの前記ボディ部は、半環状をし、前記半環状の一側領域から第１方向に前記フランジ部が延長され、
前記半環状の他側領域は、直線状の支持体を含み、
前記支持体は、第１長さ（ｔ１）の第１支持体、および前記第１支持体から延長される第２長さの第２支持体を含み、
前記支持体は、前記第２支持体の第２長さ（ｔ２）だけ前記フランジ部下面よりも突出する、請求項１０に記載のジッパー用スライダー。
【請求項１２】
前記ヘッドは、前記ボディ部の前記半環状の一側領域から第２方向に延長される突起部を、さらに含む、請求項１１に記載のジッパー用スライダー。
【請求項１３】
前記フランジ部下面が前記上板の前記第１ベース板の上面と接触した状態で、前記上板と前記ヘッドとが締結され、
前記支持体の前記第２支持体が前記支持溝に挿入された状態で、前記ヘッドと前記上板とが締結され、
前記突起部が前記第２溝部に挿入された状態で、前記上板と前記ヘッドとが締結される、請求項１１に記載のジッパー用スライダー。
【発明の詳細な説明】
【技術分野】
【０００１】
本発明は、ジッパー用スライダーに係り、さらに詳しくは、牽引タブの交換が可能なジッパー用スライダーに関する。
【背景技術】
【０００２】
一般に、ワンピース、ジャンパー、ズボンなどの衣服を容易に着／脱衣するために開放部にジッパーが形成されて使用されてきた。
【０００３】
ジッパーは、開放部の両側に形成された一対の支持テープを含んで構成される。
【０００４】
前記支持テープには、長さ方向に沿って一定間隔で離隔して配列される一対のチェーンが、それぞれ形成されている。前記支持テープにそれぞれ形成された一対のチェーンを噛み合わせたり離したりするために、ジッパー用スライダーが使用される。
【０００５】
図１および図２は従来のジッパー用スライダーの使用状態を説明するための図である。
【０００６】
図１および図２を参照すると、従来のジッパー用スライダー１０は、上板１、下板２および案内ポスト３が一体に形成されている。
【０００７】
また、前記上板１の上部には、牽引タブ５に結合するヘッド４が形成される。前記上板１の両側には、離脱防止フランジ８が下向きに延設される。前記離脱防止フランジ８と案内ポスト３との間には、チェーン収容部７がそれぞれ形成される。
【０００８】
前記離脱防止フランジ８と下板２との間には、支持テープ収容部６が形成される。
【０００９】
このとき、図１に示すように、ジッパー用スライダー１０が支持テープ収容部６に支持テープＴを収容すると、支持テープＴに形成されたチェーンＣは、ジッパー用スライダー１０に形成されたチェーン収容部７に、それぞれ挿入される。
【００１０】
前記チェーン収容部７に挿入されたチェーンＣは、上板１の両側に形成された離脱防止フランジ８によって、両側からの離脱が防止される。
【００１１】
支持テープＴを収容したジッパー用スライダー１０が固定方向に進むとチェーンＣが結合され、ジッパー用スライダー１００が反対方向に進むとチェーンＣが分離されることにより、ジッパーＧが開閉される。
【００１２】
また、図２に示すように、衣服（図示せず）に形成された支持テープＴを収容したジッパー用スライダー１０が固定方向または反対方向に進行し続けて、支持テープＴが支持テープ収容部６から離脱してしまうことを防止するために、支持テープＴの上／下端部に、止め部９がそれぞれ形成される。
【００１３】
このように衣服を製作する段階で、開放部に形成された支持テープＴをジッパー用スライダー１０に収容させた後、支持テープの上／下端部を止め部で閉止するが、上板１、下板２および案内ポスト３が一体に形成された従来のジッパー用スライダー１０は、支持テープＴの上／下端部が閉止されたジッパーＧと１セットで使用される。
【００１４】
一方、衣服を着／脱衣する過程で使用されるジッパー用スライダーにおいて、前記ジッパー用スライダーは、前記牽引タブ５を手で把持した状態で、前記牽引タブ５によってジッパー用スライダーを固定方向または反対方向に進ませてチェーンＣを分離または結合させる。
【００１５】
このとき、従来のジッパー用スライダーでは、前記牽引タブ５が前記ヘッド４に締結された状態で使用されるので、前記牽引タブ５は前記ヘッド４から分離できる構造ではない。
【００１６】
このため、前記牽引タブ５は、ジッパー用スライダーを移動させるための手段としてしか使用されていないのが実情である。
【００１７】
一方、前記牽引タブ５は様々な形態で構成できるが、前記牽引タブ５を前記ヘッド４から分離することができれば、前記牽引タブ５の交換が可能である。よって、ユーザーの気持ちに応じて様々な形態の牽引タブを、ジッパー用スライダーに適用可能であるが、このように牽引タブの交換が可能なジッパー用スライダーについては、全く開発されていないのが実情である。
【発明の概要】
【発明が解決しようとする課題】
【００１８】
そこで、本発明の目的は、前記牽引タブを前記ヘッドから分離可能であって前記牽引タブの交換が可能なジッパー用スライダーを提供することにある。
【００１９】
本発明の他の目的は、ユーザーの気持ちに応じて様々な形態の牽引タブの適用が可能なジッパー用スライダーを提供することにある。
【００２０】
本発明の目的は上述した目的に限定されず、上述していない別の目的は以降の記載から当業者に明確に理解できるだろう。
【課題を解決するための手段】
【００２１】
上述した問題点を解決するために、本発明は、上板と、前記上板に対応して位置する下板と、前記上板の上面の一定領域に位置し、前記上板から分離可能なヘッドと、を含む、ジッパー用スライダーを提供する。
【００２２】
また、本発明は、前記上板が、第１ベース板と、前記第１ベース板に位置する第１締結孔と、を含み、前記下板は、第２ベース板と、前記第２ベース板の前方に位置する案内ポストと、前記案内ポストに位置し、前記第１締結孔に対応する領域に位置する第２締結孔と、を含み、前記ヘッドは、牽引タブ収容部を含むボディ部と、前記ボディ部の一側端に延設されるフランジ部と、前記フランジ部の一定領域に位置し、前記第１締結孔に対応する領域に位置する第３締結孔と、を含む、ジッパー用スライダーを提供する。
【００２３】
また、本発明は、前記第１締結孔と前記第３締結孔とに挿入されて締結される締結手段をさらに含み、前記第１締結孔と前記第３締結孔とに前記締結手段が結合されることにより、前記上板と前記ヘッドとが締結され、前記第１締結孔および前記第３締結孔から前記締結手段が分離されることにより、前記上板と前記ヘッドとが互いに分離される、ジッパー用スライダーを提供する。
【００２４】
また、本発明は、前記第１締結孔、第３締結孔および前記第２締結孔に挿入されて締結される締結手段をさらに含み、前記第１締結孔、前記第３締結孔および前記第２締結孔に前記締結手段が結合されることにより、前記上板と前記ヘッドとが締結されかつ前記上板と前記下板とが締結され、前記第１締結孔、第３締結孔および前記第２締結孔から前記締結手段が分離されることにより、前記上板と前記ヘッドとが分離され且つ前記上板と前記下板とが分離される、ジッパー用スライダーを提供する。
【００２５】
また、本発明は、前記ヘッドが、前記フランジ部の下面から突出する多角形の突出部をさらに含み、前記突出部は、前記第３締結孔に対応する領域に位置する第４締結孔を含み、前記上板は、前記第１ベース板の上面に位置し、前記第１締結孔と連続して位置する突出部収容溝をさらに含む、ジッパー用スライダーを提供する。
【００２６】
また、本発明は、前記多角形の突出部の形状が下部に行くほど狭くなり、前記突出部収容溝の形状は下部に行くほど狭くなる、ジッパー用スライダーを提供する。
【００２７】
また、本発明は、前記上板が、第１ベース板と、前記第１ベース板に位置する第１締結孔と、を含み、前記下板は、第２ベース板と、前記第２ベース板の前方に位置する案内ポストと、前記案内ポストに位置し、前記第１締結孔に対応する領域に位置する第２締結孔と、を含み、前記ヘッドは、牽引タブ収容部を含むボディ部と、前記ボディ部の一側端に延設されるフランジ部と、前記フランジ部の一定領域に位置し、前記第１締結孔に対応する領域に位置する第３締結孔と、を含み、前記案内ポストは、案内ポスト上面を含み、前記案内ポスト上面は、前記第２締結孔が位置する第１上面、および前記案内ポストの外側端に位置し、前記第１上面よりも低い段差の第２上面を含む、ジッパー用スライダーを提供する。
【００２８】
また、本発明は、前記上板が前記第１ベース板の下面を含み、前記第１ベース板の下面は、前記第１ベース板の一側端に位置する第１ベース板の第１下面と、前記第１ベース板の第１下面以外の領域である第１ベース板の第２下面と、前記第１ベース板の下面の一定領域に位置し、前記第１ベース板の第１下面よりも低い段差を有する収容溝と、を含み、前記第１ベース板の第１下面が前記案内ポスト上面のうちの前記第２上面と接触した状態で、前記上板と前記下板とが締結され、前記下板の前記案内ポスト上面のうちの前記第１上面が前記収容溝に収容された状態で、前記上板と前記下板とが締結される、ジッパー用スライダーを提供する。
【００２９】
また、本発明は、前記案内ポストが、前記案内ポスト上面の一定領域に位置する突起部をさらに含み、前記第１ベース板の下面は、前記第１ベース板の第１下面および前記収容溝にわたって位置し、前記収容溝よりも低い段差を有する第１溝部をさらに含み、前記突起部が前記第１溝部に収容された状態で、前記上板と前記下板とが締結される、ジッパー用スライダーを提供する。
【００３０】
また、本発明は、前記上板が前記第１ベース板の上面を含み、前記第１ベース板の上面は、前記第１ベース板の他側端に位置する第１ベース板の第１上面と、前記第１ベース板の第１上面以外の領域である第１ベース板の第２上面と、前記第１ベース板の第１上面の一定領域に位置する支持溝と、前記支持溝と前記第１締結孔との間に位置する第２溝部と、を含み、前記ヘッドの前記フランジ部はフランジ部下面を含み、前記フランジ部下面は前記第１ベース板の上面と接触した状態で、前記上板と前記ヘッドとが締結される、ジッパー用スライダーを提供する。
【００３１】
また、本発明は、前記ヘッドの前記ボディ部が、半環状をし、前記半環状の一側領域から第１方向に前記フランジ部が延長され、前記半環状の他側領域は、直線状の支持体を含み、前記支持体は、第１長さｔ１の第１支持体、および前記第１支持体から延長される第２長さの第２支持体を含み、前記支持体は、前記第２支持体の第２長さｔ２だけ前記フランジ部下面よりも突出する、ジッパー用スライダーを提供する。
【００３２】
また、本発明は、前記ヘッドが、前記ボディ部の前記半環状の一側領域から第２方向に延長される突起部をさらに含む、ジッパー用スライダーを提供する。
【００３３】
また、本発明は、前記フランジ部下面が前記上板の前記第１ベース板の上面と接触した状態で、前記上板と前記ヘッドとが締結され、前記支持体の前記第２支持体が前記支持溝に挿入された状態で、前記ヘッドと前記上板とが締結され、前記突起部が前記第２溝部に挿入された状態で、前記上板と前記ヘッドとが締結される、ジッパー用スライダーを提供する。
【発明の効果】
【００３４】
上述したような本発明によれば、前記ヘッドが前記上板から分離可能であるため、前記牽引タブの交換が可能であり、よって、ユーザーの気持ちまたはユーザーの必要に応じて様々な形態の牽引タブをジッパー用スライダーに適用可能である。
【００３５】
また、本発明では、前記突出部の断面の形状を多角形に構成し、前記多角形の突出部が前記突出部収容溝に収容されるようにすることにより、前記ヘッドが前記上板から意図せずに回転することを防止することができる。
【００３６】
また、本発明では、前記多角形の突出部の形状を下部に行くほど狭くなるように構成し、前記突出部収容溝の形状も前記多角形の突出部の形状に対応して下部に行くほど狭くなるように構成することにより、前記多角形の突出部を前記突出部収容溝に容易に挿入することができる。
【００３７】
また、本発明では、前記下板の前記案内ポスト上面のうちの第１上面が前記収容溝に収容された状態で、前記上板と前記下板とが締結されることにより、前記上板と前記下板との結合をさらに強固にすることができる。
【００３８】
また、本発明では、前記支持体の前記第２支持体が前記支持溝に挿入された状態で、前記ヘッドと前記上板とが締結されることにより、前記ヘッドが前記上板から意図せずに回転することを防止することができる。
【図面の簡単な説明】
【００３９】
【図１】従来のジッパー用スライダーの使用状態を説明するための図である。
【図２】従来のジッパー用スライダーの使用状態を説明するための図である。
【図３】本発明の第１実施例に係るジッパー用スライダーを示す分離斜視図である。
【図４】本発明の第１実施例に係るジッパー用スライダーを示す分離断面図である。
【図５】本発明の第１実施例に係るジッパー用スライダーを示す結合断面図である。
【図６】様々な形態の牽引タブを示す概略図である。
【図７】様々な形態の牽引タブを示す概略図である。
【図８】様々な形態の牽引タブを示す概略図である。
【図９】本発明の第２実施例に係るジッパー用スライダーを示す分離断面図である。
【図１０】本発明の第２実施例に係るジッパー用スライダーの多角形の突出部の形状例を示す概略平面図である。
【図１１】本発明の第３実施例に係るジッパー用スライダーを示す分離断面図である。
【図１２】本発明の第４実施例に係るジッパー用スライダーを示す分離斜視図である。
【図１３】本発明の第４実施例に係るジッパー用スライダーを示す結合斜視図である。
【図１４】本発明の第４実施例に係るジッパー用スライダーの下板を示す斜視図である。
【図１５】本発明の第４実施例に係るジッパー用スライダーの下板を示す側面図である。
【図１６】本発明の第４実施例に係るジッパー用スライダーの下板を示す平面図である。
【図１７】本発明の第４実施例に係るジッパー用スライダーの上板を示す第１方向の斜視図である。
【図１８】本発明の第４実施例に係るジッパー用スライダーの上板を示す第２方向の斜視図である。
【図１９】本発明の第４実施例に係るジッパー用スライダーのヘッドを示す斜視図である。
【図２０】本発明の第４実施例に係るジッパー用スライダーのヘッドを示す側面図である。
【発明を実施するための形態】
【００４０】
本発明の利点および特徴、そしてそれらを達成する方法は、添付図面と共に詳細に後述されている実施例を参照すれば明確になるであろう。しかし、本発明は、以下で開示される実施例に限定されるものではなく、互いに異なる様々な形態で実現される。但し、本実施例は、本発明の開示を完全たるものにし、本発明の属する技術分野における通常の知識を有する者に発明の範疇を完全に知らせるために提供されるものであり、本発明は、請求の範囲によってのみ定義される。
【００４１】
以下、添付図面を参照して、本発明の実施のための具体的な内容を詳細に説明する。図面に関係なく、同一の部材番号は同一の構成要素を指し示し、「および／または」は言及されたアイテムのそれぞれおよび一つ以上のすべての組み合わせを含む。
【００４２】
たとえ「第１」、「第２」などが多様な構成要素を叙述するために使用されるが、これら構成要素は、これらの用語によって制限されるものではない。これらの用語は単に一つの構成要素を他の構成要素と区別するために使用するものである。よって、以下で言及される第１構成要素は、本発明の技術的思想内で第２構成要素であることもある。
【００４３】
本明細書で使用された用語は、実施例を説明するためのものであり、本発明を限定しようとするものではない。本明細書において、単数形は、特別に言及しない限り、複数形も含む。明細書で使用される「含む（ｃｏｍｐｒｉｓｅｓ）」および／または「含む（ｃｏｍｐｒｉｓｉｎｇ）」は、言及された構成要素の他に、一つ以上の別の構成要素の存在または追加を排除しない。
【００４４】
以下、添付図面を参照して、本発明の好適な実施例を詳細に説明する。
【００４５】
図３は、本発明の第１実施例に係るジッパー用スライダーを示す分離斜視図、図４は、本発明の第１実施例に係るジッパー用スライダーを示す分離断面図、図５は、本発明の第１実施例に係るジッパー用スライダーを示す結合断面図である。
【００４６】
図３乃至図５を参照すると、本発明の第１実施例に係るジッパー用スライダー１００は、上板１１０と、前記上板１１０に対応して位置する下板１２０と、前記上板１１０の上面の一定領域に位置し、前記上板から分離可能なヘッド１３０と、を含む。
【００４７】
このとき、前記上板１１０は、第１ベース板１１１を含み、前記ヘッド１３０は、前記第１ベース板１１１の上面の一定領域に位置することができる。
【００４８】
また、前記第１ベース板１１１は、第１締結孔１１２を含む。
【００４９】
続いて、図３乃至図５を参照すると、前記下板１２０は、第２ベース板１２１と、前記第２ベース板１２１の前方に位置する案内ポスト１２２と、を含み、また、前記案内ポスト１２２は、前記第１締結孔１１２に対応する領域に位置する第２締結孔１２３を含む。
【００５０】
このとき、本発明において、前記上板１１０と前記下板１２０とは相互分離が可能である。前記上板と前記下板とは、後述する締結手段１４０によって締結される。前記締結手段１４０を除去する場合、前記上板１１０と前記下板１２０とは相互分離が可能である。
【００５１】
続いて、図３〜図５を参照すると、本発明の第１実施例に係るジッパー用スライダー１００は、前記上板１１０の上面の一定領域に位置し且つ前記上板から分離が可能なヘッド１３０を含む。
【００５２】
このとき、上述したように、前記ヘッド１３０は、前記第１ベース板１１１の上面の一定領域に位置することができる。
【００５３】
一方、本発明では、前記ヘッド１３０が前記上板から分離可能であることを特徴とし、より具体的には、前記ヘッド１３０は、牽引タブ収容部１３４を含むボディ部１３１、および前記ボディ部１３１の一側端部に延設されるフランジ部１３２を含む。
【００５４】
また、前記ヘッド１３０は、前記フランジ部１３２の一定領域に位置し、前記第１締結孔１１２に対応する領域に位置する第３締結孔１３３を含む。
【００５５】
また、本発明の第１実施例に係るジッパー用スライダー１００は、前記第１締結孔１１２と前記第３締結孔１３３とに挿入されて締結される締結手段１４０を含み、前記第１締結孔１１２と前記第３締結孔１３３とに前記締結手段１４０が結合されることにより、前記上板１１０と前記ヘッド１３０とが締結され、前記第１締結孔１１２および前記第３締結孔１３３から前記締結手段１４０が分離されることにより、前記上板１１０と前記ヘッド１３０とが分離できる。
【００５６】
この時、前記締結手段１４０は、公知のねじまたはボルトなどの結合手段を使用することができる。但し、本発明において、前記締結手段１４０の種類は制限しない。
【００５７】
また、図示の如く、前記締結手段１４０は、前記第１締結孔１１２と前記第３締結孔１３３とに挿入されるとともに、前記第２締結孔１２３に挿入され得る。
【００５８】
前記第１締結孔１１２、第３締結孔１３３および前記第２締結孔１２３に、前記締結手段１４０が結合されることにより、前記上板１１０と前記ヘッド１３０とが締結され、且つ、前記上板１１０と前記下板１２０とが締結され得る。
【００５９】
また、前記第１締結孔１１２、第３締結孔１３３および前記第２締結孔１２３から前記締結手段１４０が分離されることにより、前記上板１１０と前記ヘッド１３０とが互いに分離され、かつ、前記上板１１０と前記下板１２０とが互いに分離され得る。
【００６０】
一方、図示してはいないが、前記ヘッド１３０のボディ部１３１に構成される牽引タブ収容部１３４に、牽引タブ（図示せず）が位置することができる。これは当業界において自明なことなので、以下に具体的な説明は省略する。
【００６１】
上述したように、ジッパー用スライダーは、牽引タブを手で把持した状態で、前記牽引タブによって、ジッパー用スライダーを固定方向または反対方向に進ませてチェーンを分離または結合させる。
【００６２】
このとき、従来のジッパー用スライダーでは、前記牽引タブが前記ヘッドに締結された状態で使用されるので、前記牽引タブは、前記ヘッド４から分離できる構造ではない。
【００６３】
よって、前記牽引タブは、ジッパー用スライダーを移動させるための手段としてしか使用されていないのが実情である。
【００６４】
しかし、本発明では、上述したように、前記ヘッド１３０が前記上板１１０から分離可能であることを特徴とし、よって、前記ヘッド１３０を前記上板１１０から分離させた状態で、前記牽引タブを容易に交換することができる。
【００６５】
すなわち、本発明では、前記牽引タブの交換が可能であるため、ユーザーの気持ちまたはユーザーの必要に応じて様々な形態の牽引タブをジッパー用スライダーに適用可能である。
【実施例】
【００６６】
図６乃至図８は、様々な形態の牽引タブを示す概略図である。
【００６７】
図６を参照すると、第１例による牽引タブ３１０は、第１取っ手部３１１と、前記第１取っ手部３１１の末端領域に位置する第１リング部３１２と、を含み、この時、前記第１リング部３１２は、図３乃至図５の前記ヘッド１３０のボディ部１３１に構成される牽引タブ収容部１３４に、位置することができる。
【００６８】
また、図７を参照すると、第２例による牽引タブ３２０は、第２取っ手部３２１、および前記第２取っ手部３２１の末端領域に位置する第２リング部３２２を含む。また、図８を参照すると、第３例による牽引タブ３３０は、第３取っ手部３３１、および前記第３取っ手部３３１の末端領域に位置する第３リング部３３２を含むことができる。
【００６９】
すなわち、本発明では、このような様々な形態の牽引タブ３２０を、ユーザーの気持ちやユーザーの必要に応じて容易に交換することができる。
【００７０】
図９は、本発明の第２実施例に係るジッパー用スライダーを示す分離断面図であり、図１０は、本発明の第２実施例に係るジッパー用スライダーの多角形の突出部の形状例を示す概略平面図である。
【００７１】
以下、本発明の第２実施例に係るジッパー用スライダーは、後述するところを除いては、上述した本発明の第１実施例に係るジッパー用スライダーを参照することができる。特に、第２実施例における、図面符号が第１実施例と重複している部分は、特別な言及がないこともあり、この場合、第１実施例を参照することができる。
【００７２】
まず、図９を参照すると、本発明の第２実施例に係るジッパー用スライダー１００’は、上板１１０と、前記上板１１０に対応して位置する下板１２０と、前記上板１１０の上面の一定領域に位置し、前記上板から分離可能なヘッド１３０と、を含む。
【００７３】
この時、前記上板１１０は、第１ベース板１１１を含み、前記ヘッド１３０は、前記第１ベース板１１１の上面の一定領域に位置することができる。
【００７４】
また、前記第１ベース板１１１は、第１締結孔１１２を含む。
【００７５】
また、本発明の第２実施例に係るジッパー用スライダー１００’は、前記上板１１０の上面の一定領域に位置し、前記上板から分離可能なヘッド１３０を含み、前記ヘッド１３０は、牽引タブ収容部１３４を含むボディ部１３１、および前記ボディ部１３１の一側端に延設されるフランジ部１３２を含む。
【００７６】
また、前記ヘッド１３０は、前記フランジ部１３２の一定領域に位置し、前記第１締結孔１１２に対応する領域に位置する第３締結孔１３３を含む。
【００７７】
続いて、図９を参照すると、本発明の第２実施例に係るジッパー用スライダー１００’は、前記フランジ部１３２の下面から突出する多角形の突出部１３５を含み、前記突出部１３５は、前記第３締結孔１３３に対応する領域に位置する第４締結孔１３６を含む。
【００７８】
また、本発明の第２実施例に係るジッパー用スライダー１００’の前記上板１１０は、前記第１ベース板１１１の上面に位置し、前記第１締結孔１１２と連続して位置する突出部収容溝１１３を含む。
【００７９】
すなわち、本発明の第２実施例に係るジッパー用スライダー１００’は、前記ヘッド１３０の多角形の突出部１３５が前記上板１１０の突出部収容溝１１３に定着された状態で、前記ヘッドと前記上板とが締結されることにより、前記ヘッドが前記上板から意図せずに回転することを、防止することができる。
【００８０】
より具体的に、本発明では、前記ヘッド１３０が締結手段１４０によって前記上板１１０と締結される際に、一つの領域で締結がなされるが、このとき、締結される領域が一つである場合には、前記ヘッドは、前記上板から意図せずに回転することができる。
【００８１】
したがって、本発明では、前記突出部１３５の断面の形状を多角形に構成し、前記多角形の突出部が前記突出部収容溝に定着されるようにすることにより、前記ヘッドが前記上板から意図せずに回転することを、防止することができる。
【００８２】
この時、図１０に示すように、前記多角形の突出部は、断面の形状が六角形１３５または四角形１３５’または三角形１３５’’であり得る。但し、本発明において、前記多角形の突出部の形状は制限しない。
【００８３】
一方、未説明符号１３６’、１３６’’は、第３締結孔１３３に対応する領域に位置する第４締結孔を意味する。
【００８４】
図１１は、本発明の第３実施例に係るジッパー用スライダーを示す分離断面図である。
【００８５】
以下、本発明の第３実施例に係るジッパー用スライダーは、後述するところを除いては、上述した本発明の第１実施例および第２実施例に係るジッパー用スライダーを参照することができる。特に、第３実施例における、図面符号が第１実施例および第２実施例と重複している部分は、特別な言及がないこともあり、この場合、第１実施例および第２実施例を参照することができる。
【００８６】
図１１を参照すると、本発明の第３実施例に係るジッパー用スライダー３００は、上板１１０と、前記上板１１０に対応して位置する下板１２０と、前記上板１１０の上面の一定領域に位置し、前記上板から分離可能なヘッド１３０と、を含む。
【００８７】
この時、前記上板１１０は、第１ベース板１１１を含み、前記ヘッド１３０は、前記第１ベース板１１１の上面の一定領域に位置することができる。
【００８８】
また、前記第１ベース板１１１は、第１締結孔１１２を含む。
【００８９】
また、本発明の第３実施例に係るジッパー用スライダー３００は、前記上板１１０の上面の一定領域に位置し、前記上板から分離可能なヘッド１３０を含み、前記ヘッド１３０は、牽引タブ収容部１３４を含むボディ部１３１、および前記ボディ部１３１の一側端に延設されるフランジ部１３２を含む。
【００９０】
また、前記ヘッド１３０は、前記フランジ部１３２の一定領域に位置し、前記第１締結孔１１２に対応する領域に位置する第３締結孔１３３を含む。
【００９１】
続いて、図１１を参照すると、本発明の第３実施例に係るジッパー用スライダー３００は、前記フランジ部１３２の下面から突出する多角形の突出部２３５を含み、前記突出部２３５は、前記第３締結孔１３３に対応する領域に位置する第４締結孔２３６を含む。
【００９２】
また、本発明の第３実施例に係るジッパー用スライダー３００の前記上板１１０は、前記第１ベース板１１１の上面に位置し、前記第１締結孔１１２と連続して位置する突出部収容溝１１４を含む。
【００９３】
上述したように、本発明の第３実施例に係るジッパー用スライダー３００は、前記ヘッド１３０の多角形の突出部２３５が前記上板１１０の突出部収容溝１１４に定着された状態で、前記ヘッドと前記上板とが締結されることにより、前記ヘッドが前記上板から意図せずに回転することを防止することができる。これは、上述したのと同様なので、具体的な説明を省略する。
【００９４】
このとき、本発明の第３実施例に係るジッパー用スライダー３００は、前記多角形の突出部２３５の形状が下部に行くほど狭くなることを特徴とし、また、前記突出部収容溝１１４の形状が下部に行くほど狭くなることを特徴とする。
【００９５】
すなわち、図１１に示すように、本発明の第３実施例に係るジッパー用スライダー３００は、前記多角形の突出部２３５の形状が下部に行くほど狭くなるように構成され、前記突出部収容溝１１４の形状も前記多角形の突出部の形状に対応して下部に行くほど狭くなるように構成される。
【００９６】
これにより、前記多角形の突出部２３５を前記突出部収容溝１１４に位置させる際に、より容易に前記多角形の突出部２３５を前記突出部収容溝１１４に挿入することができる。
【００９７】
つまり、ジッパー用スライダーの大きさが小さい場合、多角形の突出部および突出部収容溝もジッパー用スライダーの大きさに比べて非常に小さくなるので、小さいサイズの多角形の突出部を突出部収容溝に合わせて定着させることが難しいおそれがある。
【００９８】
したがって、本発明の第３実施例では、前記多角形の突出部２３５の形状が下部に行くほど狭くなるように構成され、前記突出部収容溝１１４の形状も前記多角形の突出部の形状に対応して下部に行くほど狭くなるように構成することにより、容易に前記多角形の突出部２３５を前記突出部収容溝１１４に挿入することができる。
【００９９】
上述したような本発明によれば、本発明では、前記ヘッドが前記上板から分離可能であるため、前記牽引タブの交換が可能であり、よって、ユーザーの気持ちまたはユーザーの必要に応じて様々な形状の牽引タブをジッパー用スライダーに適用可能である。
【０１００】
また、本発明では、前記突出部の断面の形状を多角形に構成し、前記多角形の突出部が前記突出部収容溝に定着されるようにすることにより、前記ヘッドが前記上板から意図せずに回転することを防止することができる。
【０１０１】
また、本発明では、前記多角形の突出部の形状が下部に行くほど狭くなるように構成し、前記突出部収容溝の形状も前記多角形の突出部の形状に対応して下部に行くほど狭くなるように構成することにより、前記多角形の突出部を前記突出部収容溝に容易に挿入することができる。
【０１０２】
図１２は、本発明の第４実施例に係るジッパー用スライダーを示す分離斜視図であり、図１３は、本発明の第４実施例に係るジッパー用スライダーを示す結合斜視図である。
【０１０３】
以下、本発明の第４実施例に係るジッパー用スライダーは、後述するところを除いては、上述した本発明の第１実施例に係るジッパー用スライダーを参照することができる。
【０１０４】
図１２および図１３を参照すると、本発明の第４実施例に係るジッパー用スライダー２００は、上板２１０と、前記上板２１０に対応して位置する下板２２０と、前記上板２１０の上面の一定領域に位置し、前記上板から分離可能なヘッド２３０と、を含む。
【０１０５】
この時、前記上板２１０は、第１ベース板２１１を含み、前記ヘッド１３０は、前記第１ベース板２１１の上面の一定領域に位置することができる。
【０１０６】
また、前記第１ベース板２１１は、第１締結孔２１２を含む。
【０１０７】
続いて、図１２および図１３を参照すると、前記下板２２０は、第２ベース板２２１を含み、前記第２ベース板２２１の前方に位置する案内ポスト２２２を含む。また、前記案内ポスト２２２は、前記第１締結孔２１２に対応する領域に位置する第２締結孔２２３を含む。
【０１０８】
このとき、本発明において、前記上板２１０と前記下板２２０とは、相互分離が可能である。前記上板と前記下板とは、後述する締結手段２４０によって締結される。前記締結手段２４０を除去する場合、前記上板２１０と前記下板２２０とは、相互分離が可能である。
【０１０９】
続いて、図１２および図１３を参照すると、本発明の第４実施例に係るジッパー用スライダー２００は、前記上板２１０の上面の一定領域に位置し、前記上板から分離可能なヘッド２３０を含む。
【０１１０】
このとき、上述したように、前記ヘッド２３０は、前記第１ベース板２１１の上面の一定領域に位置することができる。
【０１１１】
一方、本発明では、前記ヘッド２３０が前記上板から分離可能であることを特徴とし、より具体的に、前記ヘッド２３０は、牽引タブ収容部２３４を含むボディ部２３１、および前記ボディ部２３１の一側端に延設されるフランジ部２３２を含む。
【０１１２】
また、前記ヘッド２３０は、前記フランジ部２３２の一定領域に位置し、前記第１締結孔２１２に対応する領域に位置する第３締結孔２３３を含む。
【０１１３】
また、本発明の第４実施例に係るジッパー用スライダー２００は、前記第１締結孔２１２と前記第３締結孔２３３とに挿入されて締結される締結手段２４０を含み、前記第１締結孔２１２と前記第３締結孔２３３とに前記締結手段２４０が結合されることにより、前記上板２１０と前記ヘッド２３０とが締結され、前記第１締結孔２１２および前記第３締結孔２３３から前記締結手段２４０が分離されることにより、前記上板２１０および前記ヘッド２３０とが互いに分離され得る。
【０１１４】
この時、前記締結手段２４０は、公知のねじまたはボルトなどの結合手段を使用することができる。但し、本発明において、前記締結手段２４０の種類は制限しない。
【０１１５】
また、図示の如く、前記締結手段２４０は、前記第１締結孔２１２と前記第３締結孔２３３とに挿入されるとともに、前記第２締結孔２２３に挿入され得る。第１締結孔２１２、第３締結孔２３３および前記第２締結孔２２３に、前記締結手段２４０が結合されることにより、前記上板２１０と前記ヘッド２３０とが締結され、且つ、前記上板２１０と前記下板２２０とが締結され得る。
【０１１６】
また、前記第１締結孔２１２、第３締結孔２３３および前記第２締結孔２２３から前記締結手段２４０が分離されることにより、前記上板２１０と前記ヘッド２３０とが互いに分離され、かつ、前記上板２１０と前記下板２２０とが互いに分離され得る。
【０１１７】
一方、図示してはいないが、前記ヘッド２３０のボディ部２３１に構成される牽引タブ収容部２３４に、牽引タブ（図示せず）が位置することができる。これは当業界における自明なことなので、具体的な説明は省略する。
【０１１８】
上述したように、ジッパー用スライダーは、牽引タブを手で把持した状態で、前記牽引タブによってジッパー用スライダーを固定方向または反対方向に進ませて、チェーンを分離または結合させる。
【０１１９】
上述したように、従来のジッパー用スライダーでは、前記牽引タブが前記ヘッドに締結された状態で使用されるので、前記牽引タブは、前記ヘッド４から分離できる構造ではない。
【０１２０】
このため、前記牽引タブは、ジッパー用スライダーを移動させるための手段としてしか使用されていないのが実情である。
【０１２１】
しかし、本発明では、上述したように、前記ヘッド２３０が前記上板２１０から分離可能であることを特徴とし、よって、前記ヘッド２３０を、前記上板２１０から分離させた状態で、前記牽引タブを容易に交換することができる。
【０１２２】
すなわち、本発明では、前記牽引タブの交換が可能であるため、ユーザーの気持ちまたはユーザーの必要に応じて様々な形態の牽引タブをジッパー用スライダーに適用可能である。
【０１２３】
以下、本発明の第４実施例に係るジッパー用スライダーを、より具体的に説明する。
【０１２４】
図１４は、本発明の第４実施例に係るジッパー用スライダーの下板を示す斜視図であり、図１５は、本発明の第４実施例に係るジッパー用スライダーの下板を示す側面図であり、図１６は、本発明の第４実施例に係るジッパー用スライダーの下板を示す平面図である。
【０１２５】
図１４乃至図１６を参照すると、上述したように、本発明の第４実施例に係るジッパー用スライダーの下板２２０は、第２ベース板２２１と、前記第２ベース板２２１の前方に位置する案内ポスト２２２と、を含み、また、前記案内ポスト２２２は、前記第１締結孔２１２と対応する領域に位置する第２締結孔２２３を含む。
【０１２６】
この際、前記案内ポスト２２２は、案内ポスト上面２２４を含み、前記案内ポスト上面２２４は、前記第２締結孔２２３が位置する第１上面２２４ａ、および前記案内ポスト２２２の外側端に位置し、前記第１上面２２４ａよりも低い段差の第２上面２２４ｂを含む。
【０１２７】
また、前記案内ポスト２２２は、前記案内ポスト上面２２４の一定領域に位置する突起部２２５を含む。
【０１２８】
前記第１上面２２４ａおよび前記第２上面２２４ｂを含む案内ポストの上面２２４と、上述したようなジッパー用スライダーの上板との結合関係、および、前記突起部２２５と上述したようなジッパー用スライダーの上板との結合関係については後述する。
【０１２９】
図１７は、本発明の第４実施例に係るジッパー用スライダーの上板を示す第１方向の斜視図であり、図１８は、本発明の第４実施例に係るジッパー用スライダーの上板を示す第２方向の斜視図である。
【０１３０】
この時、前記第１方向は、前記上板の下面を意味することができ、前記第２方向は、前記上板の上面を意味することができる。
【０１３１】
図１７および図１８を参照すると、上述したように、本発明の第４実施例に係るジッパー用スライダーの上板２１０は、第１ベース板２１１と、前記第１ベース板２１１の一定領域に位置する第１締結孔２１２と、を含む。
【０１３２】
また、図１７を参照すると、前記上板２１０は、前記第１ベース板２１１の下面２１３を含み、前記第１ベース板２１１の下面２１３は、前記第１ベース板の一側端に位置する第１ベース板の第１下面２１３ａ、および前記第１ベース板の第１下面以外の領域である第１ベース板の第２下面２１３ｂを含む。
【０１３３】
また、前記第１ベース板２１１の下面２１３は、前記第１ベース板２１１の下面２１３の一定領域に位置し、前記第１ベース板の第１下面２１３ａよりも低い段差を有する収容溝２１４を含むことができ、前記収容溝２１４の一定領域に、前記第１締結孔２１２を含むことができる。
【０１３４】
また、前記第１ベース板２１１の下面２１３は、第１ベース板の第１下面２１３ａおよび前記収容溝２１４にわたって位置し、前記収容溝２１４よりも低い段差を有する第１溝部２１７を含む。
【０１３５】
この時、前記第１ベース板の第１下面２１３ａは、上述した図１４乃至図１６の前記下板２２０の前記案内ポスト上面２２４のうちの第２上面２２４ｂと接触する面に、該当する。
【０１３６】
すなわち、前記第１ベース板の第１下面２１３ａが、前記案内ポスト上面２２４のうちの第２上面２２４ｂと接触した状態で、前記上板２１０と前記下板２２０とを締結できる。
【０１３７】
また、前記収容溝２１４は、上述した図１４乃至図１６の前記下板２２０の前記案内ポスト上面２２４のうちの第１上面２２４ａを収容する溝に、該当する。
【０１３８】
すなわち、本発明では、前記下板２２０の前記案内ポスト上面２２４のうちの第１上面２２４ａが前記収容溝２１４に収容された状態で、前記上板２１０と前記下板２２０とが締結されることにより、前記上板２１０と前記下板２２０との結合をより強固にすることができる。
【０１３９】
また、前記第１溝部２１７は、上述した図１４乃至図１６の前記下板２２０の前記突起部２２５を収容する溝に、該当する。
【０１４０】
すなわち、前記下板２２０の前記突起部２２５が前記第１溝部２１７に収容された状態で、前記上板２１０と前記下板２２０とを締結できる。
【０１４１】
この時、前記上板２１０と前記下板２２０とが締結されるにあたり、前記突起部２２５が前記第１溝部２１７に収容されることにより、前記上板２１０と前記下板２２０との締結基準点を、提示することができる。
【０１４２】
また、図１８を参照すると、前記上板２１０は、前記第１ベース板２１１の上面２１５を含み、前記第１ベース板２１１の上面２１５は、前記第１ベース板の他側端に位置する第１ベース板の第１上面２１５ａ、および前記第１ベース板の第１上面以外の領域である第１ベース板の第２上面２１５ｂを含む。
【０１４３】
また、前記第１ベース板２１１の上面２１５は、前記第１ベース板２１１の上面２１５のうち、第１ベース板の第１上面２１５ａの一定領域に位置する支持溝２１６を含むことができる。
【０１４４】
また、前記第１ベース板２１１の上面２１５は、前記支持溝２１６と前記第１締結孔２１２との間に位置する第２溝部２１８を含むことができる。
【０１４５】
前記第１ベース板の第１上面２１５ａの一定領域に位置する支持溝２１６と、上述したようなジッパー用スライダーのヘッドとの結合関係、および、前記支持溝２１６と前記第１締結孔２１２との間に位置する第２溝部２１８と上述したようなジッパー用スライダーのヘッドとの結合関係については、後述する。
【０１４６】
図１９は、本発明の第４実施例に係るジッパー用スライダーのヘッドを示す斜視図であり、図２０は、本発明の第４実施例に係るジッパー用スライダーのヘッドを示す側面図である。
【０１４７】
図１９および図２０を参照すると、上述したように、本発明の第４実施例に係るジッパー用スライダーのヘッド２３０は、牽引タブ収容部２３４を含むボディ部２３１、および前記ボディ部２３１の一側端に延設されるフランジ部２３２を含み、また、前記ヘッド２３０は、前記フランジ部２３２の一定領域に位置し、前記第１締結孔２１２と対応する領域に位置する第３締結孔２３３を含む。
【０１４８】
この時、図２０を参照すると、本発明の第４実施例に係るジッパー用スライダーのヘッド２３０の前記フランジ部２３２は、フランジ部下面２３２ａを含み、前記フランジ部下面２３２ａが、上述した図１７、図１８の前記上板２１０の前記第１ベース板２１１の上面２１５と接触した状態で、前記上板２１０と前記ヘッド２３０とを締結できる。
【０１４９】
また、図２０を参照すると、前記ヘッド２３０のボディ部２３１は、半環状をし、前記半環状により前記牽引タブ収容部２３４を形成することができる。
【０１５０】
このとき、半環状の一側領域から前記フランジ部２３２が延長され、前記フランジ部は、前記半環状の一側領域から第１方向、例えば水平方向に延長できる。
【０１５１】
また、前記ヘッド２３０は、前記ボディ部２３１の半環状の一側領域から第２方向、例えば垂直方向に延長される突起部２５１を含むことができる。
【０１５２】
一方、前記半環状の他側領域は、直線状の支持体２４１を含み、前記支持体２４１は、第１長さｔ１の第１支持体２４１ａと、前記第１支持体２４１ａから延長される第２長さｔ２の第２支持体２４１ｂと、を含む。
【０１５３】
このとき、図示の如く、前記支持体２４１は、前記第２支持体２４１ｂの第２長さｔ２だけ前記フランジ部下面２３２ａよりも突出したことを特徴とする。
【０１５４】
続いて、図１９および図２０を参照すると、上述したように、前記フランジ部下面２３２ａが、上述した図１７および図１８の前記上板２１０の前記第１ベース板２１１の上面２１５と接触した状態で、前記上板２１０と前記ヘッド２３０とを締結できる。
【０１５５】
このとき、前記上板２１０と前記ヘッド２３０とが締結されるにあたり、前記支持体２４１が、前記上板２１０の前記第１ベース板の第１上面２１５ａの一定領域に位置する支持溝２１６に挿入され、より具体的に、前記支持体２４１の前記第２支持体２４１ｂが、前記支持溝２１６に挿入される。
【０１５６】
すなわち、本発明の第４実施例に係るジッパー用スライダー２００は、前記支持体２４１の前記第２支持体２４１ｂが前記支持溝２１６に挿入された状態で、前記ヘッドと前記上板とが締結されることにより、前記ヘッドが前記上板から意図せずに回転することを防止することができる。
【０１５７】
より具体的に、本発明では、前記ヘッド２３０が締結手段２４０によって前記上板２１０と締結されるにあたり、一つの領域で締結がなされるが、締結される領域が一つである場合、前記ヘッドは、前記上板から意図せずに回転することができる。
【０１５８】
したがって、本発明では、前記支持体２４１の前記第２支持体２４１ｂが前記支持溝２１６に挿入された状態で、前記ヘッドと前記上板とが締結されることにより、前記ヘッドが前記上板から意図せずに回転することを防止することができる。
【０１５９】
また、前記ヘッド２３０は、前記ボディ部２３１の半環状の一側領域から第２方向、例えば、垂直方向に延長される突起部２５１を含み、前記突起部２５１は、上述した図１７および図１８の前記上板の前記支持溝２１６と前記第１締結孔２１２との間に位置する第２溝部２１８に挿入された状態で、前記上板２１０と前記ヘッド２３０とが締結できる。
【０１６０】
前記突起部２５１が前記第２溝部２１８に挿入されることは、上述のような第２支持体２４１ｂと同様に、前記ヘッドが前記上板から意図せずに回転することを防止することができるうえ、前記ヘッドが前記上板に締結される際に、前記上板２１０と前記ヘッド２３０との締結基準点を提示することができる。
【０１６１】
上述したような本発明によれば、本発明では、前記ヘッドが前記上板から分離可能であるため、前記牽引タブの交換が可能であり、よって、ユーザーの気持ちまたはユーザーの必要に応じて様々な形態の牽引タブをジッパー用スライダーに適用可能である。
【０１６２】
また、本発明では、前記下板２２０の前記案内ポスト上面２２４のうちの第１上面２２４ａが前記収容溝２１４に収容された状態で、前記上板２１０と前記下板２２０とが締結されることにより、前記上板２１０と前記下板２２０との結合をより強固にすることができる。
【０１６３】
また、本発明では、前記支持体２４１の前記第２支持体２４１ｂが前記支持溝２１６に挿入された状態で、前記ヘッドと前記上板とが締結されることにより、前記ヘッドが前記上板から意図せずに回転することを防止することができる。
【０１６４】
以上、添付図面を参照して本発明の実施例を説明したが、本発明の属する技術分野における通常の知識を有する者は、本発明がその技術的思想や必須の特徴を変更することなく他の具体的な形態で実施され得ることを理解することができるだろう。したがって、以上で記述した実施例は、あらゆる面で例示的なもので、限定的なものではないと理解すべきである。
【図１】
2019500911.tif 000003
【図２】
2019500911.tif 000004
【図３】
2019500911.tif 000005
【図４】
2019500911.tif 000006
【図５】
2019500911.tif 000007
【図６】
2019500911.tif 000008
【図７】
2019500911.tif 000009
【図８】
2019500911.tif 000010
【図９】
2019500911.tif 000011
【図１０】
2019500911.tif 000012
【図１１】
2019500911.tif 000013
【図１２】
2019500911.tif 000014
【図１３】
2019500911.tif 000015
【図１４】
2019500911.tif 000016
【図１５】
2019500911.tif 000017
【図１６】
2019500911.tif 000018
【図１７】
2019500911.tif 000019
【図１８】
2019500911.tif 000020
【図１９】
2019500911.tif 000021
【図２０】
2019500911.tif 000022
【国際調査報告】
2019500911.tif 000023
2019500911.tif 000024
2019500911.tif 000025
2019500911.tif 000026